(57)【要約】【課題】１つのスイッチによって複数の動作を選択的に実行させることができる電子機器を提供する。【解決手段】送信実行制御部１４は、ＰＴＴスイッチ４を押下する時間が所定の時間を超えるときには第１の動作を実行させるよう制御する。動作切換部１２は、ＰＴＴスイッチ４を押下する時間が所定の時間以下であるときには、第１の動作とは異なる第２の動作を実行させるためのキーアクションの入力を待機する待機状態に移行させる。フラッシュメモリ６には、複数のキーアクションとそれぞれのキーアクションが意味する第２の動作とが対応付けて記憶されている。キーアクション実行制御部１５は、待機状態においてＰＴＴスイッチ４によって複数のキーアクションのうちのいずれかのキーアクションが入力されたら、入力されたキーアクションに対応付けられている第２の動作を実行させるよう制御する。【選択図】図１
2018125584.tif 000002
【特許請求の範囲】
【請求項１】
第１の動作を実行させるためのスイッチと、
前記スイッチを押下する時間が所定の時間を超えるときには前記第１の動作を実行させるよう制御する第１の動作実行制御部と、
前記スイッチを押下する時間が前記所定の時間以下であるときには、前記第１の動作とは異なる第２の動作を実行させるためのキーアクションの入力を待機する待機状態に移行させる動作切換部と、
前記待機状態において前記スイッチによって入力される複数のキーアクションと、前記複数のキーアクションそれぞれが意味する第２の動作とを対応付けて記憶するメモリと、
前記待機状態において前記スイッチによって前記メモリに記憶されている複数のキーアクションのうちのいずれかのキーアクションが入力されたら、入力されたキーアクションに対応付けられている第２の動作を実行させるよう制御する第２の動作実行制御部と、
を備えることを特徴とする電子機器。
【請求項２】
前記電子機器は半二重通信方式を用いて無線通信する無線機であり、
前記スイッチは前記無線機を送信状態とするためのＰＴＴスイッチである
ことを特徴とする請求項１に記載の電子機器。
【請求項３】
前記キーアクションはモールス符号であることを特徴とする請求項１または２に記載の電子機器。
【発明の詳細な説明】
【技術分野】
【０００１】
本発明は、所定の動作を実行させるためのスイッチを備える電子機器に関する。
【背景技術】
【０００２】
電気機器の一例として無線機において、所定の相手先の他の無線機と通信しようとするとき、送信先の無線機を選択するモードに移行させて、所定の相手先を選択して通信を開始する。この場合、ユーザは、通常、複数のスイッチを操作しなければならない。
【先行技術文献】
【特許文献】
【０００３】
【特許文献１】実開昭６３−２０６３７号公報
【特許文献２】特開２００５−３０９９６９号公報
【発明の概要】
【発明が解決しようとする課題】
【０００４】
電気機器において所定の動作を実行させるときに、操作するスイッチの数を極力減らして、操作を簡略化することが求められている。
【０００５】
本発明は、１つのスイッチによって複数の動作を選択的に実行させることができる電子機器を提供することを目的とする。
【課題を解決するための手段】
【０００６】
本発明は、第１の動作を実行させるためのスイッチと、前記スイッチを押下する時間が所定の時間を超えるときには前記第１の動作を実行させるよう制御する第１の動作実行制御部と、前記スイッチを押下する時間が前記所定の時間以下であるときには、前記第１の動作とは異なる第２の動作を実行させるためのキーアクションの入力を待機する待機状態に移行させる動作切換部と、前記待機状態において前記スイッチによって入力される複数のキーアクションと、前記複数のキーアクションそれぞれが意味する第２の動作とを対応付けて記憶するメモリと、前記待機状態において前記スイッチによって前記メモリに記憶されている複数のキーアクションのうちのいずれかのキーアクションが入力されたら、入力されたキーアクションに対応付けられている第２の動作を実行させるよう制御する第２の動作実行制御部とを備えることを特徴とする電子機器を提供する。
【発明の効果】
【０００７】
本発明の電子機器によれば、１つのスイッチによって複数の動作を選択的に実行させることができる。
【図面の簡単な説明】
【０００８】
【図１】一実施形態の電子機器を示すブロック図である。
【図２】一実施形態の電子機器の動作を示すフローチャートである。
【図３】図２の結合子Ａ，Ｂ，Ｄと結合する一実施形態の電子機器の動作を示すフローチャートである。
【図４】図３の結合子Ｃ結合する一実施形態の電子機器の動作を示すフローチャートである。
【図５】キーアクションとキーアクションが意味する動作とを対応付けたキーアクション・動作対応テーブルの一例を示す図である。
【図６】１つの無線機への個別呼び出しの動作を概念的に示す図である。
【図７】選択されたグループに属する無線機へのグループ呼び出しの動作を概念的に示す図である。
【図８】送信パワーの切り換え動作を概念的に示す図である。
【発明を実施するための形態】
【０００９】
以下、一実施形態の電子機器について、添付図面を参照して説明する。本実施形態においては、半二重通信方式を用いて無線通信する無線機を電子機器の一例とする。
【００１０】
図１において、制御部１は無線機１００の動作を制御する。制御部１は、マイクロプロセッサまたはマイクロコンピュータで構成することができる。制御部１は、機能的な内部構成として、タイマ１１、動作切換部１２、バッテリ残量検出部１３、送信実行制御部１４、キーアクション実行制御部１５を有する。
【００１１】
タイマ１１〜キーアクション実行制御部１５は、ソフトウェア（コンピュータプログラム）で構成されていてもよいし、ハードウェアで構成されていてもよい。ソフトウェアとハードウェアとの使い分けは任意である。
【００１２】
制御部１には、無線通信回路２、ＰＴＴスイッチ４、バッテリ５、フラッシュメモリ６、マイクロホン７、スピーカ８、近距離無線通信部９が接続されている。無線通信回路２には、他の無線機へと電波を送信し、他の無線機からの電波を受信するアンテナ３が接続されている。
【００１３】
ＰＴＴスイッチ４は、他の無線機と通信するために無線機１００を送信状態とするための押しボタンである。ＰＴＴスイッチ４は第１の動作（ここでは送信動作）を実行させるためのスイッチの一例である。バッテリ５は制御部１に電力を供給する。図示を省略しているが、バッテリ５は制御部１以外にも電力を必要とする各部に電力を供給する。
【００１４】
フラッシュメモリ６は、無線機１００が通信する他の無線機の情報（例えばチャンネル周波数）である送信先情報６１、複数の他の無線機をグルーピングするグルーピング情報を６２記憶している。フラッシュメモリ６は、無線機１００が緊急送信するときの緊急送信先情報６３、キーアクションとキーアクションが意味する動作とを対応付けたキーアクション・動作対応テーブル６４を記憶している。これらの情報は任意のメモリに記憶されていればよい。
【００１５】
近距離無線通信部９には、近距離無線通信用のアンテナ１０が接続されている。パーソナルコンピュータ２０は近距離無線通信部２１を備え、パーソナルコンピュータ２０には近距離無線通信用のアンテナ２２が接続されている。近距離無線通信部９及び２１は、アンテナ１０及び２２を介して近距離無線通信する。
【００１６】
近距離無線通信部９及び２１は、例えば、ブルートゥース（登録商標）の規格に準拠する無線通信規格に基づいて近距離無線通信する。パーソナルコンピュータ２０は、無線機１００と近距離無線通信することによって、キーアクションと動作との対応付けを設定することができる。キーアクション・動作対応テーブル６４はパーソナルコンピュータ２０によって予め設定され、制御部１によってフラッシュメモリ６に記憶されている。
【００１７】
無線機１００とパーソナルコンピュータ２０とをケーブルによって接続して、パーソナルコンピュータ２０がキーアクション・動作対応テーブル６４を設定してもよい。
【００１８】
本実施形態においては、他の無線機と通信するときに押下するＰＴＴスイッチ４を用いて、無線機１００に第１の動作とは異なる第２の動作を実行させるように構成している。無線機１００の第２の動作とは、無線機１００を後述するアクションモードに設定して、無線機１００に実行させる所定の動作のことである。
【００１９】
図２〜図４に示すフローチャート、及び、図５〜図８を用いて、無線機１００の動作を具体的に説明する。図２において、制御部１は、ステップＳ１にて、ＰＴＴスイッチ４が押下されたか否かを判定する。ＰＴＴスイッチ４が押下されなければ（NO）、制御部１はステップＳ１の処理を繰り返す。
【００２０】
ＰＴＴスイッチ４が押下されれば（YES）、制御部１は、ステップＳ２にて、ＰＴＴスイッチ４の押下時間が所定の時間を超えたか否かを判定する。所定の時間はタイマ１１によって計時される。ステップＳ２は、ＰＴＴスイッチ４を継続的に押下したか、極めて短時間だけ押下したかを判定する処理である。所定の時間は例えば５００ミリ秒であり、適宜の時間とすればよい。
【００２１】
ＰＴＴスイッチ４の押下時間が所定の時間を超えなければ（NO）、制御部１は、処理を図３のステップＳ１１に移行させる。ＰＴＴスイッチ４の押下時間が所定の時間を超えれば（YES）、制御部１は、ステップＳ３にて、無線通信回路２を送信状態に設定して、搬送波の送信を開始する。制御部１は、ステップＳ４にて、マイクロホン７が収音した音声を変調する。これによって、無線機１００と通信する他の無線機には、音声信号が送信される。
【００２２】
制御部１は、ステップＳ５にて、ＰＴＴスイッチ４の押下が終了したか否かを判定する。ＰＴＴスイッチ４の押下が終了しなければ（NO）、制御部１は、ステップＳ５の処理を繰り返す。ＰＴＴスイッチ４の押下が終了すれば（YES）、制御部１は、ステップＳ６にて、マイクロホン７からの音声をミュートする。
【００２３】
制御部１は、ステップＳ７にて、無線通信回路２を受信待機状態に戻し、搬送波の送信を終了して、処理を終了させる。
【００２４】
図２のステップＳ３〜Ｓ７の処理は、制御部１の送信実行制御部１４が、ＰＴＴスイッチ４を押下する時間が所定の時間を超えるときに実行させる第１の動作による処理である。送信実行制御部１４は、第１の動作を実行させるよう制御する第１の動作実行制御部である。
【００２５】
図３において、制御部１は、ステップＳ１１にて、ＰＴＴスイッチ４の押下が終了したか否かを判定する。ＰＴＴスイッチ４の押下が終了しなければ（NO）、制御部１は、処理を図２のステップＳ２に戻す。ＰＴＴスイッチ４の押下が終了すれば（YES）、ＰＴＴスイッチ４は上記の極めて短時間である所定の時間以内で押下されたということであり、制御部１は、ステップＳ１２にて、キーアクションモードに移行したことを知らせるビープをスピーカ８によって鳴らす。
【００２６】
このとき、制御部１の動作切換部１２は、制御部１を、第１の動作とは異なる第２の動作を実行させるためのキーアクションの入力を待機する待機状態に移行させる。動作切換部１２は、ＰＴＴスイッチ４を押下する時間が所定の時間以下であるときに待機状態に移行させる。
【００２７】
制御部１は、ステップＳ１３にて、ＰＴＴスイッチ４が押下されたか否かを判定する。ＰＴＴスイッチ４が押下されれば（YES）、制御部１は、ステップＳ１４にて、ＰＴＴスイッチ４によって押下されたキーパターンが登録されているキーアクションのいずれかと一致するか否かを判定する。
【００２８】
図５は、キーアクション・動作対応テーブル６４の一例を示している。本実施形態においては、キーアクションをモールス符号としている。図５に示すように、モールス符号ＩＡ，ＩＢ，ＩＣ，ＩＤを示すキーアクションには、それぞれ、他の無線機である無線機１００Ａ，１００Ｂ，１００Ｃ，１００Ｄへの個別呼び出しの動作が対応付けられている。
【００２９】
モールス符号ＧＡ，ＧＢを示すキーアクションには、それぞれ、後述するグループＧＡ，ＧＢに属する他の無線機へのグループ呼び出しの動作が対応付けられている。同様に、モールス符号ＧＣを示すキーアクションには、グループＧＣに含まれている他の無線機へのグループ呼び出しの動作が対応付けられている。
【００３０】
モールス符号ＥＭＧを示すキーアクションには、緊急送信先情報６３に設定された他の無線機に緊急情報を送信する動作が対応付けられている。モールス符号Ｌを示すキーアクションには、無線機１００のロックをオンまたはオフする動作が対応付けられている。
【００３１】
モールス符号Ｐを示すキーアクションには、無線機１００の送信パワーをハイとローとで切り換える動作が対応付けられている。モールス符号Ｂを示すキーアクションには、バッテリ残量検出部１３が検出したバッテリ５の残量をスピーカ８より発生させる音で知らせる動作が対応付けられている。
【００３２】
図３に戻り、制御部１は、ステップＳ１４にて、押下されたキーパターンは登録されているキーアクションのいずれかと一致するか否かを判定する。キーアクションのいずれかと一致すれば（YES）、制御部１は、ステップＳ１５にて、パターン不一致回数をリセットする。
【００３３】
制御部１は、ステップＳ１６にて、押下されたキーパターンと一致するキーアクションに送信に関する動作が対応付けられているか否かを判定する。送信に関する動作とは、図５におけるモールス符号ＩＡ〜ＩＤ，ＧＡ〜ＧＣ，ＥＭＧに対応付けられている動作である。
【００３４】
押下されたキーパターンと一致するキーアクションに送信に関する動作が対応付けられていれば（YES）、制御部１は、ステップＳ１７にて、該当する無線機を送信先に設定し、ステップＳ１８にて、送信開始の準備が完了したことを知らせるビープをスピーカ８によって鳴らす。
【００３５】
ステップＳ１７の送信先の設定は、キーアクション実行制御部１５によって実行される。キーアクション実行制御部１５は、キーアクションの入力を待機する待機状態で、ＰＴＴスイッチ４によって複数のキーアクションのうちのいずれかが入力されたら、入力されたキーアクションに対応付けられている第２の動作を実行させるよう制御する第２の動作実行制御部である。
【００３６】
図４において、制御部１は、ステップＳ１９にて、ＰＴＴスイッチ４が押下されたか否かを判定する。ＰＴＴスイッチ４が押下されなければ（NO）、制御部１は処理をステップＳ２５に移行させる。
【００３７】
ＰＴＴスイッチ４が押下されれば（YES）、制御部１は、ステップＳ２０にて、無線通信回路２を送信状態に設定して、送信先に設定された無線機に搬送波の送信を開始する。制御部１は、ステップＳ２１にて、マイクロホン７が収音した音声を変調する。これによって、無線機１００と通信する他の無線機には、音声信号が送信される。
【００３８】
制御部１は、ステップＳ２２にて、ＰＴＴスイッチ４の押下が終了したか否かを判定する。ＰＴＴスイッチ４の押下が終了しなければ（NO）、制御部１は、ステップＳ２２の処理を繰り返す。ＰＴＴスイッチ４の押下が終了すれば（YES）、制御部１は、ステップＳ２３にて、マイクロホン７からの音声をミュートする。
【００３９】
制御部１は、ステップＳ２５にて、ＰＴＴスイッチ４が押下されない状態が所定の時間を超えてか否かを判定する。所定の時間はタイマ１１によって計時される。ここでの所定の時間とは、ステップＳ２における所定の時間よりも長い時間である。ＰＴＴスイッチ４が押下されない状態が所定の時間を超えなければ（NO）、制御部１は、処理をステップＳ１９に戻す。ＰＴＴスイッチ４が押下されない状態が所定の時間を超えれば（YES）、制御部１は、ステップＳ２６にて、送信先に無線機の設定を解除して、処理を終了させる。
【００４０】
図３に戻り、ステップＳ１６にて押下されたキーパターンと一致するキーアクションに送信に関する動作が対応付けられていなければ（NO）、制御部１は、ステップＳ３１にて、該当する動作を実行する。送信に関しない動作とは、図５におけるモールス符号Ｌ，Ｐ，Ｂに対応付けられている動作である。ステップＳ３１における該当する動作も、第２の動作実行制御部であるキーアクション実行制御部１５によって実行される。
【００４１】
制御部１は、ステップＳ３２にて、実行した動作に対応するビープをスピーカ８によって鳴らして処理を終了させる。
【００４２】
一方、ステップＳ１３にてＰＴＴスイッチ４が押下されなければ（NO）、制御部１は、ステップＳ４１にて、ＰＴＴスイッチ４が押下されない状態が所定の時間を超えてか否かを判定する。所定の時間はタイマ１１によって計時される。ここでの所定の時間とは、ステップＳ２における所定の時間よりも長い時間であり、ステップＳ２５における所定の時間と同じでもよいし、異なっていてもよい。
【００４３】
ＰＴＴスイッチ４が押下されない状態が所定の時間を超えなければ（NO）、制御部１は、処理をステップＳ１３に戻す。ＰＴＴスイッチ４が押下されない状態が所定の時間を超えれば（YES）、制御部１は、ステップＳ４２にて、キーアクションモードが終了したことを知らせるビープをスピーカ８によって鳴らして、処理を終了させる。
【００４４】
ステップＳ１４にてキーアクションのいずれかと一致しなければ（NO）、制御部１は、ステップＳ５１にて、パターン不一致の回数が所定の回数を超えたか否かを判定する。ここでの所定の回数は例えば３回である。パターン不一致の回数が所定の回数を超えていなければ、制御部１は、処理を終了させる。
【００４５】
パターン不一致の回数が所定の回数を超えていれば（YES）、制御部１は、ステップＳ５２にて、無線機１００がロックされた回数が連続で所定回数に達したか否かを判定する。ここでの所定の回数は例えば３回であり、２回または４回以上としてもよい。
【００４６】
ロックされた回数が連続で所定回数に達したら（YES）、制御部１は、ステップＳ５３にて、無線機１００を完全に使用不能に設定して処理を終了させる。ロックされた回数が連続で所定回数に達していなければ（NO）、制御部１は、ステップＳ５４にて、無線機１００をロックする。
【００４７】
制御部１は、ステップＳ５５にて、無線機１００をロックしている時間が所定の時間を超えたか否かを判定する。所定の時間はタイマ１１によって計時される。ここでの所定の時間は例えば６０秒であり、適宜設定される。無線機１００をロックしている時間が所定の時間を超えていなければ（NO）、制御部１は、処理をステップＳ５４に戻す。無線機１００をロックしている時間が所定の時間を超えれば（YES）、制御部１は、ステップＳ５６にて、無線機１００のロックを解除して処理を終了させる。
【００４８】
図６は、図３のステップＳ１４にて押下されたキーパターンが、モールス符号ＩＡのキーアクションであった場合の動作を概念的に示している。キーアクション実行制御部１５は、他の無線機１００Ａ〜１００Ｄのうち、無線機１００Ａに対して個別呼び出しを実行する。
【００４９】
図７は、ステップＳ１４にて押下されたキーパターンが、モールス符号ＧＡのキーアクションであった場合の動作を概念的に示している。一例として、グループＧＡには無線機１００Ａ及び１００Ｂが属しており、グループＧＢには無線機１００Ｂ〜１００Ｄが属している。キーアクション実行制御部１５は、グループＧＢに対してグループ呼び出しを実行する。
【００５０】
図８は、ステップＳ１４にて押下されたキーパターンが、モールス符号Ｐのキーアクションであった場合の動作を概念的に示している。キーアクション実行制御部１５は、モールス符号Ｐのキーアクションが入力されるごとに、送信パワーを矢印の左側に示すローの状態と矢印の右側に示すハイの状態とを切り換える。
【００５１】
ステップＳ１４にて押下されたキーパターンが、モールス符号Ｂのキーアクションであった場合、キーアクション実行制御部１５は例えば次のような音をスピーカ８より発生させればよい。キーアクション実行制御部１５は、バッテリ５の残量が十分にあるときには“ピーピーピー”という音を発生させる。キーアクション実行制御部１５は、バッテリ５の残量が中間程度のときには“ピーピー”という音を発生させる。キーアクション実行制御部１５は、バッテリ５の残量が少ないときには“ピー”という音を発生させる。
【００５２】
キーアクション実行制御部１５は、図示していないディスプレイにバッテリ５の残量を示す情報を表示してもよい。
【００５３】
以上説明したように、本実施形態の電子機器によれば、１つのスイッチの押し方を変えるだけで、電子機器の複数の動作を選択的に実行させることができる。電子機器がＰＴＴスイッチ４を備える無線機であるとき、ＰＴＴスイッチ４は比較的長時間押し続けることが多く、極めて短時間だけ押下することはほとんどない。よって、押下時間によって第１の動作と第２の動作とを切り換える方法は、ＰＴＴスイッチ４を備える無線機に用いて都合がよい。
【００５４】
無線機を使用するユーザはモールス符号を知っていることが多い。よって、電子機器が無線機であるとき、モールス符号をキーアクションとすることは都合がよい。
【００５５】
図３に示すように、本実施形態の電子機器は、キーアクションに一致しないキーパターンを所定回数連続で入力した場合には電子機器をロックするように構成されている。さらに、本実施形態の電子機器は、電子機器がロックされた回数が所定回数に達すれば、電子機器を完全に使用不能に設定するように構成されている。よって、本実施形態の電子機器によれば、電子機器の不正使用を防ぐことができる。
【００５６】
図５には特に図示していないが、キーアクション・動作対応テーブル６４に、電子機器が完全に使用不能に設定されたときに、使用可能な状態に戻すためのキーアクションを設定してもよい。
【００５７】
本発明は以上説明した本実施形態に限定されることはなく、本発明の要旨を逸脱しない範囲において種々変形可能である。図６〜図８においては、無線機１００の筐体にＰＴＴスイッチ４が設けられているが、無線機１００の筐体とケーブルで接続されて、無線機１００の筐体と離れた位置で操作するＰＴＴスイッチ４であってもよい。
【符号の説明】
【００５８】
１  制御部
４  ＰＴＴスイッチ
５  バッテリ
６  フラッシュメモリ
１１  タイマ
１２  動作切換部
１３  バッテリ残量検出部
１４  送信実行制御部（第１の動作実行制御部）
１５  キーアクション実行制御部（第２の動作実行制御部）
１００  無線機（電子機器）
【図１】
2018125584.tif 000003
【図２】
2018125584.tif 000004
【図３】
2018125584.tif 000005
【図４】
2018125584.tif 000006
【図５】
2018125584.tif 000007
【図６】
2018125584.tif 000008
【図７】
2018125584.tif 000009
【図８】
2018125584.tif 000010